(57)【要約】【課題】折り畳みテーブルを構成する天板の模様又は材質を容易に変更できる構造を実現する。【解決手段】天板２ａを構成する１対の天板フレーム素子１１ａ、１１ｂを、１対のヒンジ５ａ５ｂにより天板フレーム素子１１ａ、１１ｂの上端面同士が同一平面上に位置する組み立て状態と、下端面同士が対向した折り畳み状態とを移行可能に連結する。矩形板状部材である天板本体素子３７ａ、３７ｂの両側面にそれぞれ異なる模様を形成し、天板本体素子３７ａ、３７ｂを、天板フレーム素子１１ａ、１１ｂのそれぞれに取り外し可能な状態で支持する。【選択図】図１
2017051380.tif 000002
【特許請求の範囲】
【請求項１】
天板と、脚部とを備えており、
このうちの天板は、天板フレームと、天板本体とを有し、
該天板フレームは、該天板本体を支持する為の支持機構を有しており、
該天板本体は、板状部材であり、厚さ方向片側面を上側にした状態で、前記天板フレームの支持機構に取り外し可能に支持されており、
前記脚部は、前記天板の下方に、該天板に対する取り外しを可能な状態、又は、該天板に対する折り畳みを可能な状態に支持されている、
折り畳みテーブル。
【請求項２】
前記天板フレームが、少なくとも２個の天板フレーム素子から成り、
前記天板本体が、該天板フレーム素子と同数の天板本体素子から成り、
前記天板フレーム素子のそれぞれに、１個の天板本体素子が、取り外し可能な状態で支持されている、請求項１に記載した折り畳みテーブル。
【請求項３】
前記天板フレームの支持機構は、前記天板本体の厚さ方向他側面を上側に配置した状態でも、該天板本体を支持する事が可能である、請求項１〜２のうちの何れか１項に記載した折り畳みテーブル。
【請求項４】
前記天板本体の厚さ方向片側面と、厚さ方向他側面とで、模様又は色彩が異なる、請求項３に記載した折り畳みテーブル。
【請求項５】
前記天板フレームの支持機構が、前記天板本体の外周縁を挿入可能な支持溝を有している、請求項１〜４のうちの何れか１項に記載した折り畳みテーブル。
【発明の詳細な説明】
【技術分野】
【０００１】
本発明は、組み立て状態（使用状態）と、折り畳み状態（収納状態）とを実現する事ができる折り畳みテーブルの改良に関する。
【背景技術】
【０００２】
例えば、キャンプ等の際に屋外で使用される折り畳みテーブルとして、特許文献１に記載されている様な折り畳みテーブル１の構造が従来から知られている。
図１１は、特許文献１に記載された折り畳みテーブル１の組み立て状態（使用状態）を、図１２は、該折り畳みテーブル１の折り畳み状態（収納状態）を示している。以下、該折り畳みテーブル１の構造に就いて、図１１、１２を参照しつつ説明する。
【０００３】
前記折り畳みテーブル１は、矩形板状の天板２と、脚部３とを備えている。
このうちの天板２は、矩形板状の１対の天板素子４ａ、４ｂ同士を、１対のヒンジ５、５で連結する事により、これら１対の天板素子４ａ、４ｂの厚さ方向片側面（図１１の上側面）同士が同一平面上に位置する状態（図１１に示す状態）と、前記１対の天板素子４ａ、４ｂの厚さ方向他側面（図１１の下側面）同士が対向した状態（図１２に示す状態）とを移行可能に構成されている。
【０００４】
前記脚部３は、１対の脚部素子６ａ、６ｂを有している。
該１対の脚部素子６ａ、６ｂはそれぞれ、１対の杆状部材７、７と、Ｕ字状の補強部材８とを結合する事により、全体を略Ｈ字形に構成されている。この様な前記１対の脚部素子６ａ、６ｂ（前記１対の杆状部材７、７）の上端部は、組み立て状態に於ける、前記天板２の幅方向（図１１の左右方向）両端部の下面に回動可能に支持されている。この様に組み付けられた状態で、前記１対の脚部素子６ａ、６ｂは、前記１対の杆状部材７、７の中心軸の方向と、前記１対の天板素子４ａ、４ｂとが直交する状態（図１１に示す状態）と、前記１対の脚部素子６ａ、６ｂが図１１のα１、α２に示す方向に回動して、該１対の杆状部材７、７の中心軸が、該１対の天板素子４ａ、４ｂと平行な方向に存在する状態とを移行可能である。
【０００５】
以上の様な構成を有する前記折り畳みテーブル１は、図１２に示す様に折り畳む事が可能である為、折り畳む事ができないテーブルと比べて、収納、運搬の面で有利である。尚、本発明に関連する折り畳みテーブルの構造として、上述した特許文献１の他、特許文献２、３等に記載された構造のものがある。
ところで、特許文献１に記載された前記折り畳みテーブル１を含めて、特許文献２、３に記載された折り畳みテーブルの構造は何れも、天板を容易に取り外し（交換）できる構造ではない為、天板の模様又は該天板の素材の変更を容易に行う事ができない。
【先行技術文献】
【特許文献】
【０００６】
【特許文献１】特開２００１−１７２３６号公報
【特許文献２】特開２０１１−１５９４５号公報
【特許文献３】特開２００５−７４０５７号公報
【発明の概要】
【発明が解決しようとする課題】
【０００７】
本発明は、前述の様な事情に鑑みて、折り畳みテーブルを構成する天板の模様又は材質を容易に変更できる構造を実現すべく発明したものである。
【課題を解決するための手段】
【０００８】
本発明の折り畳みテーブルは、天板と、脚部とを備えている。
このうちの天板は、天板フレームと、天板本体とを有している。
該天板フレームは、該天板本体を支持する為の支持機構を有している。
該天板本体は、板状部材であり、厚さ方向片側面を上側にした状態で、前記天板フレームの支持機構に取り外し可能に支持されている。
前記脚部は、前記天板の下方に、該天板に対する取り外しを可能な状態、又は、該天板に対する折り畳みを可能な状態に支持されている。
【０００９】
上述した様な本発明の折り畳みテーブルを実施する場合には、追加的に、請求項２に記載した発明の様に、前記天板フレームが、少なくとも２個の天板フレーム素子から成る構成を採用できる。
この様な構成を採用した場合には、前記天板本体を、該天板フレーム素子と同数の天板本体素子により構成する。
そして、前記各天板フレーム素子のそれぞれに、１個の天板本体素子を取り外し可能な状態で支持する。
【００１０】
上述した様な本発明の折り畳みテーブルを実施する場合には、追加的に、請求項３に記載した発明の様に、前記天板フレームの支持機構として、前記天板本体の厚さ方向他側面を上側に配置した状態でも、該天板本体を支持する事が可能な構成を採用する事ができる。
【００１１】
上述した様な請求項３に記載した発明を実施する場合には、追加的に、請求項４に記載した発明の様に、前記天板本体の厚さ方向片側面と、厚さ方向他側面とで、模様又は色彩が異なる構成を採用できる。
【００１２】
上述した様な本発明の折り畳みテーブルを実施する場合には、追加的に、請求項５に記載した発明の様に、前記天板フレームの支持機構が、前記天板本体の外周縁を挿入（係止）可能な支持溝を有する構成を採用できる。
【発明の効果】
【００１３】
上述の様に構成する本発明の折り畳みテーブルによれば、折り畳みテーブルを構成する天板の模様又は材質を容易に変更できる構造を実現できる。
即ち、本発明の場合、天板を、天板フレームと天板本体とにより構成すると共に、該天板本体を、該天板フレームの支持機構に取り外し可能に支持する構成を採用している。この為、例えば、両面に異なる模様が形成された天板本体、異なる模様を有する交換用の天板本体、或いは、異なる素材により造られた交換用の天板本体を用意しておけば、天板本体を裏返して前記天板フレームに支持したり、交換用の天板本体と交換するだけで、例えば、利用シーン等に合わせて天板の模様又は材質を容易に変更できる。
【図面の簡単な説明】
【００１４】
【図１】本発明の実施の形態の１例を示す、折り畳みテーブルの組み立て状態を示す斜視図。
【図２】同じく、折り畳みテーブルの折り畳み状態を示す斜視図。
【図３】同じく、組み立て状態で天板本体を外した状態を示す斜視図。
【図４】同じく、天板本体を外すと共に、脚部を折り畳んだ状態を示す平面図。
【図５】同じく、図２のＡ部拡大図。
【図６】同じく、開閉フレームに対する付勢機構の組付け状態を説明する為の断面模式図。
【図７】同じく、天板本体素子を取り出して示す、斜視図。
【図８】同じく、付勢機構の構造を説明する為の部分拡大斜視図。
【図９】同じく、開閉フレームを長板フレーム部材に対して回動させていない状態を示す部分側面拡大図（Ａ）と、回動させた状態を示す部分側面拡大図（Ｂ）。
【図１０】同じく、天板本体素子を天板フレーム素子に支持する途中の状態、又は、天板本体素子を天板フレーム素子から取り出す途中の状態を示す斜視図。
【図１１】従来構造の折り畳み椅子の使用状態を示す斜視図。
【図１２】従来構造の折り畳み椅子の折り畳み状態を示す斜視図。
【発明を実施するための形態】
【００１５】
図１〜１０を参照しつつ、本発明の実施の形態の１例に就いて説明する。本例の折り畳みテーブル１ａは、天板２ａと、脚部３ａとを備えている。
このうちの天板２ａは、天板フレーム９と、天板本体１０とから成る。
このうちの天板フレーム９は、１対の天板フレーム素子１１ａ、１１ｂを有している。
【００１６】
前記１対の天板フレーム素子１１ａ、１１ｂ同士は、１対のヒンジ５ａ、５ｂにより、互いに回動可能に組み付けられている。尚、図１に示す組み立て状態に於いて、前記１対の天板フレーム素子１１ａ、１１ｂ同士は、前記天板２ａの幅方向（図１、３、４の左右方向）に関してほぼ対称な構造を有している為、以下、前記１対の天板フレーム素子１１ａ、１１ｂのうちの、前記天板２ａの幅方向片側（図１、３、４の右側）の天板フレーム素子１１ａの構造のみを説明する。幅方向他側（図１、３、４の左側）の天板フレーム素子１１ｂの構造に就いては、前記天板２ａの幅方向に関する方向が、幅方向片側（図１、３、４の右側）の天板フレーム素子１１ａの構造に関する説明とは反対になる。尚、本明細書及び特許請求の範囲に於いては、特に断らない限り、幅方向とは図１、３、４の左右方向であって組み立て状態に於ける前記天板２ａの長手方向を言い、奥行方向とは図１、３の表裏方向及び図４の上下方向であって組み立て状態に於ける前記天板２ａの短手方向を言い、上下方向とは図１、３の上下方向であって前記天板２ａの上下方向を言う。
【００１７】
前記天板フレーム素子１１ａは、矩形フレーム１２と、第１補強フレーム１３と、第２補強フレーム１４と、開閉フレーム１５と、１対の付勢機構１６、１６とを有している。
このうちの矩形フレーム１２は、コ字フレーム部材１７と、長板フレーム部材１８とを矩形枠状に組み合わせて構成されている。
具体的には、前記コ字フレーム部材１７は、アルミニウム製の板状部材をコ字状に曲げ成形して造られたものであって、短辺フレーム１９と、第１長辺フレーム２０と、第２長辺フレーム２１とから成る。
このうちの短辺フレーム１９は、組み付け状態に於いて、前記天板フレーム９の短辺（幅方向片側の辺）を構成するものである。
前記第１長辺フレーム２０は、前記短辺フレーム１９の奥行方向片端部（図１、３の奥側端部、図４の上端部）から幅方向他方（図１、３、４の左方）に折れ曲がった状態で形成されている。この様な第１長辺フレーム２０は、組み付け状態に於いて、前記天板フレーム９の奥行方向片側の長辺の幅方向片半部（図１、３、４の右半部）を構成するものである。
前記第２長辺フレーム２１は、該短辺フレーム１９の奥行方向他端部（図１、３の手前側端部、図４の下端部）から幅方向他方に折れ曲がった状態で形成されている。この様な第２長辺フレーム２１は、前記天板フレーム９の奥行方向他側の長辺の、幅方向片半部を構成するものである。
【００１８】
又、前記コ字フレーム部材１７の内側面（前記短辺フレーム１９の幅方向他側面、前記第１長辺フレーム２０の奥行方向他側面、及び、前記第２長辺フレーム２１の奥行方向片側面）の上端寄り部分には、全長に亙り平行な状態で該内側面から直角方向に突出した１対のリブ２２ａ、２２ｂ（図５参照）が設けられている。そして、上下方向に関して、これら１対のリブ２２ａ、２２ｂ同士の間に形成された溝状空間を第１支持溝２３としている。
【００１９】
前記長板フレーム部材１８は、アルミニウム製の長板状部材であって、奥行方向片端部が、前記第１長辺フレーム２０の幅方向他端部に固定されている。一方、前記長板フレーム部材１８の奥行方向他端部は、前記第２長辺フレーム２１の幅方向他端部に固定されている。又、前記長板フレーム部材１８の奥行方向中央部には、幅方向片側（前記短辺フレーム１９に向かう方向）にコ字状に折り曲げられた固定部２４が設けられている。この様な固定部２４を設ける事により、前記長板フレーム部材１８の奥行方向中央部の剛性を高くしている。又、該長板フレーム部材１８の奥行方向両端寄り部分には、該長板フレーム部材１８を幅方向に貫通した上下方向に長い１対の長孔２５（奥行方向片側の長孔は図示省略）が形成されている。又、前記長板フレーム部材１８の上端縁は、前記コ字フレーム部材１７の１対のリブ２２ａ、２２ｂのうちの下方のリブ２２ｂよりも下方に位置している。
【００２０】
前記第１補強フレーム１３は、アルミニウム製の長板状部材であり、奥行方向片端部を、前記コ字フレーム部材１７の第１長辺フレーム２０の幅方向中央部に固定されている。一方、前記第１補強フレーム１３の奥行方向他端部は、前記コ字フレーム部材１７の第２長辺フレーム２１の幅方向中央部に固定されている。即ち、前記第１補強フレーム１３は、前記第１長辺フレーム２０と前記第２長辺フレーム２１とに掛け渡された状態で設けられている。
【００２１】
前記第２補強フレーム１４は、アルミニウム製の長板状部材であり、幅方向片端部が、前記コ字フレーム部材１７の短辺フレーム１９の奥行方向中央部に固定されている。一方、前記第２補強フレーム１４の幅方向他端部は、前記長板フレーム部材１８の固定部２４に固定されている。別の言い方をすれば、前記第２補強フレーム１４は、前記短辺フレーム１９と前記長板フレーム部材１８とに掛け渡された状態で設けられている。
【００２２】
前記開閉フレーム１５は、アルミニウム製の長板状部材であり、前記長板フレーム部材１８よりも幅方向他側に、該長板フレーム部材１８に沿う（該長板フレーム部材１８の幅方向他側に重ね合わされた）状態で設けられている。又、前記開閉フレーム１５は、幅方向片側面（該長板フレーム部材１８側の側面）の上端寄り部分に、全長に亙り平行な状態で該幅方向片側面から突出した１対のリブ２６ａ、２６ｂ（図５参照）が設けられている。そして、上下方向に関して、これら１対のリブ２６ａ、２６ｂ同士の間に形成された溝状空間を第２支持溝２７としている。又、前記開閉フレーム１５の奥行方向両端寄り部分（組み付け状態に於いて、前記長板フレーム部材１８の１対の長孔２５と整合する部分）には、該開閉フレーム１５を貫通した上下方向に長い１対の長孔２８ａ、２８ｂが形成されている。この様な開閉フレーム１５は、前記長板フレーム部材１８に対して、前記付勢機構１６により、回動可能に支持されている。又、図１に示す組み立て状態（前記長板フレーム部材１８に対して回動していない状態）に於いて、前記開閉フレーム１５は、前記１対のリブ２６ａ、２６ｂのうちの下側のリム部２６ｂが、前記長板フレーム部材１８の上端縁を上側から覆っている。又、図１に示す組み立て状態（前記長板フレーム部材１８に対して回動していない状態）に於いて、前記第２支持溝２７と前記コ字フレーム部材１７の第１支持溝２３とは、図５に示す様に上下方向に関して整合する位置に配置されている。即ち、前記第２支持溝２７と前記第１支持溝２３とは、前記矩形フレーム１２の内側面の全周に亙って連続した矩形支持溝２９を構成している。本例の場合、該矩形支持溝２９が、特許請求の範囲に記載した支持機構及び支持溝に相当する。
【００２３】
前記１対の付勢機構１６、１６は、前記開閉フレーム１５を、前記長板フレーム部材１８に対して回動可能に付勢した状態で支持する為のものである。
具体的には、図６に示す様に、前記１対の付勢機構１６、１６はそれぞれ、杆状部材３０と、円輪状のワッシャ３１と、付勢部材３２とを有している。
【００２４】
このうちの杆状部材３０は、軸部３３と、該軸部３３の基端部（図６の左端部）に設けられた頭部３４とを有している。この様な杆状部材３０は、該頭部３４（図２、６参照）が、前記開閉フレーム１５の幅方向他側（図４の左側）に配置された状態で、前記軸部３３が、前記長板フレーム部材１８の１対の長孔２５及び前記開閉フレーム１５の１対の長孔２８ａ、２８ｂに挿通されている。
【００２５】
前記ワッシャ３１は、前記杆状部材３０の先端部（図６の右端部）に、該杆状部材３０の軸方向への変位を可能な状態に外嵌されている。組み付け状態に於いて、前記ワッシャ３１は、前記長板フレーム部材１８の幅方向片側（図６の右側）に配置されている。尚、前記ワッシャ３１は、前記杆状部材３０の先端縁をかしめる等により形成された抜け止め部３５により、前記杆状部材３０の先端側への抜け止めを図られている。
【００２６】
前記各付勢部材３２は、幅方向片側（前記杆状部材３０の先端側）に向かうほどコイル部の外径が小さくなる状態で形成されたコイルばね（円錐コイルばね）であり、前記長板フレーム部材１８の幅方向片側面（図６の右側面）と前記ワッシャ３１との間に、前記付勢部材３２の小径側端部が該ワッシャ３１側となる状態、且つ、弾性的に縮められた（弾性力を保持した）状態で設けられている。即ち、前記付勢部材３２は、組み付け状態に於いて、前記ワッシャ３１を幅方向片側に付勢する事により、前記杆状部材３０を幅方向片側（図６の右側）に付勢している。この状態で、該杆状部材３０の頭部３４は、前記開閉フレーム１５の幅方向他側に弾性的に押し付けられている。
【００２７】
上述の様な構成を有する１対の付勢機構１６、１６は、図９（Ａ）に示す状態から、前記付勢部材３２の弾性力に抗して前記開閉フレーム１５を前記長板フレーム部材１８から離れる方向（幅方向他方側）に変位させようとすると、前記開閉フレーム１５が、前記開閉フレーム１５の下端部と、前記長板フレーム部材１８の下端部との当接部を支点として、図９（Ｂ）に示す様に前記開閉フレーム１５の上端部が、前記長板フレーム部材１８の上端部から離れる方向に回動する。この際、前記杆状部材３０の軸部３３が、前記長板フレーム部材１８の１対の長孔２５及び前記開閉フレーム１５の１対の長孔２８ａ、２８ｂの内側で上下方向に変位する事により、前記回動が許容されている。
尚、前記開閉フレーム１５を、前記長板フレーム部材１８に対して回動可能に付勢する機構は、前述の付勢機構１６の構造に限定されるものではない。開閉フレームを長板フレーム部材に対して、回動可能に支持できる各種構造を採用できる。
【００２８】
上述の様な構成を有する天板フレーム素子１１ａは、前記開閉フレーム１５が、前記長板フレーム部材１８に対して回動すると、図９（Ｂ）に示す様に、該開閉フレーム１５の上端縁の位置が下方に変位して、前記天板フレーム素子１１ａ（前記コ字フレーム部材１７）の上端部の幅方向他側が開口する。そして、前記第１支持溝２３の幅方向他側から、前記天板本体１０を構成する１対の天板本体素子３７ａ、３７ｂのうち、幅方向片側の天板本体素子３７ａを挿入する事（又は、取り出す事）が可能となる。
尚、以上の説明は、１対の天板フレーム素子１１ａ、１１ｂのうちの幅方向片側の天板フレーム素子１１ａに就いて説明した。幅方向他側の天板フレーム素子１１ｂに関しては、前述の幅方向片側の天板フレーム素子１１ａに関する説明中の、幅方向に関する方向が反対となる。但し、各図の符号に関しては、幅方向他側の天板フレーム素子１１ｂに関しても、幅方向片側の天板フレーム素子１１ａと同様の符号を付し、説明は省略する。
又、幅方向片側の天板フレーム素子１１ａにのみ、該天板フレーム素子１１ａを構成するコ字フレーム部材１７の短辺フレーム１９の幅方向片側面に、取手部３６が設けられている。
【００２９】
以上の様な構成を有する前記１対の天板フレーム素子１１ａ、１１ｂ同士は、図１に示す様に、幅方向片側の天板フレーム素子１１ａを構成するコ字フレーム部材１７の第１長辺フレーム２０及び第２長辺フレーム２１の幅方向他端部と、幅方向他側の天板フレーム素子１１ｂを構成するコ字フレーム部材１７の第１長辺フレーム２０及び第２長辺フレーム２１の幅方向片端部とを前記１対のヒンジ５ａ、５ｂにより、回動可能に連結されている。
この様に連結される事により、前記１対の天板フレーム素子１１ａ、１１ｂ同士は、幅方向片側の天板フレーム素子１１ａの上端面と幅方向他側の天板フレーム素子１１ｂの上端面とが、同一平面上に位置した状態（図１、３、４に示す組み立て状態）と、前記幅方向片側の天板フレーム素子１１ａの下端面と前記幅方向他側の天板フレーム素子１１ｂの下端面とが対向した状態（図２、１０に示す折り畳み状態）とを移行する事が可能である。
【００３０】
前記天板本体１０は、木製の矩形板状部材の表面にメラミン加工が施された１対の天板本体素子３７ａ、３７ｂにより構成されている。これら１対の天板本体素子３７ａ、３７ｂはそれぞれ、厚さ方向片側面に、第１の模様を有する第１化粧面３８が形成されている。一方、前記天板本体１０の厚さ方向他側面には、第２の模様を有する第２化粧面３９が形成されている。この様な１対の天板本体素子３７ａ、３７ｂは、前記第１化粧面３８と該第２化粧面３９とのうちの何れか一方を上側にすると共に、外周縁を前記矩形支持溝２９（前記第１支持溝２３及び前記第２支持溝２７）に係止した状態で、前記１対の天板フレーム素子１１ａ、１１ｂに支持されている。
【００３１】
前記脚部３ａは、４個の脚部素子４０、４０により構成されている。
これら各脚部素子４０、４０はそれぞれ、上側脚部素子４１、４１と、該各上側脚部素子４１、４１の下端部に着脱可能な状態に組み合わされた下側脚部素子４２、４２とにより構成されている。このうちの前記各上側脚部素子４１、４１の上端部は、前記天板フレーム９の４隅に、回動可能な状態で支持されている。
【００３２】
具体的には、前記各脚部素子４０、４０のうちの、幅方向片側に配置された１対の脚部素子４０、４０はそれぞれ、幅方向片側の天板フレーム素子１１ａを構成するコ字フレーム部材１７の第１長辺フレーム２０の幅方向片端部と、同じく第２長辺フレーム２１の幅方向片端部とに、前記１対の脚部素子４０、４０を構成する各上側脚部素子４１、４１の上端部を中心とする回動を可能な状態に支持されている。
一方、前記各脚部素子４０、４０のうちの、幅方向他側に配置された１対の脚部素子４０、４０はそれぞれ、幅方向他側の天板フレーム素子１１ｂを構成するコ字フレーム部材１７の第１長辺フレーム２０の幅方向他端部と、同じく第２長辺フレーム２１の幅方向他端部とに、前記１対の脚部素子４０、４０を構成する各上側脚部素子４１、４１の上端部を中心とする回動を可能な状態に支持されている。
【００３３】
尚、前記各脚部素子４０、４０の上側脚部素子４１、４１はそれぞれ、回動する事により、図１、３に示す状態と、該各上側脚部素子４１、４１が、前記第１長辺フレーム２０及び第２長辺フレーム２１と奥行方向に関して重畳した状態（図４に示す状態）との間を移行可能である。図４に示す状態では、前記各上側脚部素子４１、４１はそれぞれ、前記１対の天板フレーム素子１１ａ、１１ｂの下端縁よりも上方に位置している。尚、図１に示す状態から、前記各下側脚部素子４２、４２を取り外せば、図１に示す状態よりも高さが低いテーブルとして使用する事ができる。この様に取り外した前記各下側脚部素子４２、４２は、幅方向片側の天板フレーム素子１１ａを構成する第２補強フレーム１４に設けられた保持部４３に保持する事ができる。
【００３４】
次に、上述の様な構成を有する本例の折り畳みテーブル１ａを、組み立て状態（使用状態）から折り畳み状態（収納状態）に移行する手順に就いて説明する。
先ず、図１に示す組み立て状態（使用状態）に於いて、前記各下側脚部素子４２、４２を前記各上側脚部素子４１、４１から取り外し、該各下側脚部素子４２、４２を前記保持部４３（図３参照）に保持する。次に、前記各上側脚部素子４１、４１をそれぞれ、該各上側脚部素子４１、４１の上端部を中心として、該各上側脚部素子４１、４１と、前記第１長辺フレーム２０及び第２長辺フレーム２１とが、奥行方向に関して重畳する状態（図４に示す状態）にまで回動させる。そして、前記１対の天板フレーム素子１１ａ、１１ｂ同士を、該１対の天板フレーム素子１１ａ、１１ｂの下端面同士が対向する状態（図２に示す状態）にまで、前記各ヒンジ５ａ、５ｂを中心として回動させる。
折り畳み状態（収納状態）から組み立て状態（使用状態）に移行する手順に就いては、上述の手順と逆になるだけである為、説明は省略する。
【００３５】
次に、前記１対の天板本体素子３７ａ、３７ｂを前記１対の天板フレーム素子１１ａ、１１ｂに支持する手順に就いて説明する。尚、前記天板本体素子３７ａと前記天板本体素子３７ｂとでは、組み付け方向が幅方向に関して反対側になるだけの為、以下の説明では、幅方向片側の天板フレーム素子１１ａに対して、幅方向片側の天板本体素子３７ａを組み付ける手順に就いてのみ説明する。
【００３６】
先ず、前記天板フレーム素子１１ａを構成する開閉フレーム１５の回動が可能となる状態にまで、前記１対の天板フレーム素子１１ａ、１１ｂ同士を、前記各ヒンジ５ａ、５ｂを中心として回動させる。尚、好ましくは、前記１対の天板フレーム素子１１ａ、１１ｂの下端面同士が対向した状態（図２に示す状態）となるまで、前記１対の天板フレーム素子１１ａ、１１ｂを回動させる。
【００３７】
次に、図９（Ｂ）に示す様に、前記開閉フレーム１５を、前記長板フレーム部材１８から離れる方向に回動させる事により、前記天板フレーム素子１１ａ（前記コ字フレーム部材１７）の上端部の幅方向他端部を開口させて、前記天板本体素子３７ａを、前記コ字フレーム部材１７の第１支持溝２３に、図９（Ｂ）に矢印イで示す方向に挿入（係止）する。この様に挿入した後、前記開閉フレーム１５を前記長板フレーム部材１８に近付く方向に回動させて｛図９（Ａ）に示す状態として｝、該開閉フレーム１５に形成された第２支持溝２７の内側に、前記天板本体素子３７ａの幅方向他端縁を挿入（係止）させる。この状態では、前記開閉フレーム１５が、前記１対の付勢機構１６、１６により、前記長板フレーム部材１８側に付勢されている。尚、本例の場合、該天板フレーム素子１１ａは、前記天板本体素子３７ａを構成する第１化粧面３８が上側に配置された状態、又は、前記第２化粧面３９が上側に配置された状態の何れの状態でも、前記天板本体素子３７ａを支持する事ができる。
【００３８】
一方、前記天板本体素子３７ａを前記天板フレーム素子１１ａから取り外す（交換したり裏返したりする）場合には、図９（Ｂ）に示す様に、前記開閉フレーム１５を、前記長板フレーム部材１８から離れる方向に回動させる事により、前記天板フレーム素子１１ａ（前記コ字フレーム部材１７）の上端部の幅方向他側を開口させて、前記天板本体素子３７ａを、図９（Ｂ）に矢印ロで示す方向に変位させる。そして、前記天板本体素子３７ａを、前記第１支持溝２３から取り出した後、前記開閉フレーム１５を前記長板フレーム部材１８に近付く方向に回動させる｛図９（Ａ）に示す状態にする｝。
【００３９】
以上の様な構成を有する本例の折り畳みテーブル１ａによれば、該折り畳みテーブル１ａを構成する天板２ａの模様又は素材を容易に変更できる構造を実現できる。
即ち、本例の折り畳みテーブル１ａの場合、前記１対の天板本体素子３７ａ、３７ｂを、前記１対の天板フレーム素子１１ａ、１１ｂに対して、取り外し可能な状態で支持している。特に、本例の場合、前記１対の天板本体素子３７ａ、３７ｂは、厚さ方向片側面に形成された第１化粧面３８と、厚さ方向他側面に形成された第２化粧面３９とを有しており、何れの化粧面３８、３９が上側になった状態でも、前記１対の天板本体素子３７ａ、３７ｂに支持する事ができる。この為、該折り畳みテーブル１ａを構成する天板２ａの模様を、利用シーンに応じ、前記第１化粧面３８と、前記第２化粧面３９との間で容易に変更する事ができる。又、例えば、前記１対の天板本体素子３７ａ、３７ｂの模様とは異なる模様を有する交換用の天板本体素子（図示省略）や、前記１対の天板本体素子３７ａ、３７ｂとは材質が異なる交換用の天板本体素子を用意しておけば、天板本体素子を交換するだけで、天板の模様、素材を容易に変更する事ができる。
【産業上の利用可能性】
【００４０】
前述した実施の形態の１例では、天板フレームを構成する天板フレーム素子及び天板本体を構成する天板本体素子が２個の構造（所謂二つ折りの構造）を採用しているが、本発明は、前述した従来構造の様に、天板フレーム及び天板本体を分割しない構造に適用する事もできる。更に、天板フレームを構成する天板フレーム素子及び天板本体を構成する天板本体素子を３個以上とした構造に適用する事もできる。又、天板の形状も矩形に限らず、円形、両円形、楕円形或いは多角形等とする事ができる。この様な矩形以外の形状の天板を採用した場合には、天板フレームの支持機構として、各種構造の支持機構を適宜採用するようにする。
又、本発明を実施する場合に、折り畳みテーブルを構成する脚部の構造に就いては、各種構造の脚部を適宜採用する事ができる。
又、本発明の折り畳みテーブルを構成する天板本体素子の材質は木製に限らず、例えば、アルミ製や合成樹脂製のものを採用する事もできる。
又、本発明の折り畳みテーブルを構成する天板本体素子は模様があるものだけでなく、無地のものを採用する事もできる。又、天板本体素子の模様としては、例えば、幾何学模様、キャラクター、ボードゲーム（オセロ、双六、モノポリー等）の盤面等を採用する事もできる。
又、前記天板フレームに天板本体を支持する為の支持機構の構造は、前述した実施の形態の１例の構造に限定されるものではない。
【符号の説明】
【００４１】
１、１ａ  折り畳みテーブル
２、２ａ  天板
３、３ａ  脚部
４ａ、４ｂ  天板素子
５、５ａ、５ｂ  ヒンジ
６ａ、６ｂ  脚部素子
７  杆状部材
８  補強部材
９  天板フレーム
１０  天板本体
１１ａ、１１ｂ  天板フレーム素子
１２  矩形フレーム
１３  第１補強フレーム
１４  第２補強フレーム
１５  開閉フレーム
１６  付勢機構
１７  コ字フレーム部材
１８  長板フレーム部材
１９  短辺フレーム
２０  第１長辺フレーム
２１  第２長辺フレーム
２２ａ、２２ｂ  リブ
２３  第１支持溝
２４  固定部
２５  長孔
２６ａ、２６ｂ  リブ
２７  第二支持溝
２８ａ、２８ｂ  長孔
２９  矩形支持溝
３０  杆状部材
３１  ワッシャ
３２  付勢部材
３３  軸部
３４  頭部
３５  抜け止め部
３６  取手部
３７ａ、３７ｂ  天板本体素子  
３８  第１化粧面
３９  第２化粧面
４０  脚部素子
４１  上側脚部素子
４２  下側脚部素子
４３  保持部
【図１】
2017051380.tif 000003
【図２】
2017051380.tif 000004
【図３】
2017051380.tif 000005
【図４】
2017051380.tif 000006
【図５】
2017051380.tif 000007
【図６】
2017051380.tif 000008
【図７】
2017051380.tif 000009
【図８】
2017051380.tif 000010
【図９】
2017051380.tif 000011
【図１０】
2017051380.tif 000012
【図１１】
2017051380.tif 000013
【図１２】
2017051380.tif 000014